【手続補正書】
【提出日】平成18年9月8日(2006.9.8)
【手続補正１】
【補正対象書類名】特許請求の範囲
【補正対象項目名】全文
【補正方法】変更
【補正の内容】
【特許請求の範囲】
【請求項１】
(a)下記(1)及び(2)を備えるほぼ管状の第１の部分と、
(1)第１の端部、第２の端部並びに第１の端部及び第２の端部の内側に形成される第１の孔を有する壁、
(2)壁に作動接続されて第２の孔を内側に有しかつ第１の孔と軸方向に整合する突起、
(b)突起の端部を越えて延伸し第２の孔に連通して形成される第３の孔を内部に含む第１の部分を有し、かつ突起に連結される長さ方向に圧縮可能な圧縮可能部材と、
(c)管状の第１の部分の第１の端部に連結されるほぼ管状の第２の部分とを備え、第２の部分内に第４の孔を形成し、第２の孔、第３の孔及び第４の孔は、流体接続されて、気道取付部を通る気体流路の少なくとも一部を形成することを特徴とする気道取付部構造体。
【請求項２】
圧縮可能部材は、突起上に配置され第１の部分に連結される第１のスカート部を有する弾性スリーブを備える請求項１に記載の気道取付部構造体。
【請求項３】
第１の部分は、ほぼ涙状の部分を備える請求項２に記載の気道取付部構造体。
【請求項４】
更に、圧縮可能部材は、
第１のスカート部から長さ方向に涙状部分の反対側に配置される第２のスカート部と、
第２のスカート部内に収容される筒部を有する端部口金と、筒部内に形成されかつ第３の孔に流体接続される端部口金孔とを備える請求項３に記載の気道取付部構造体。
【請求項５】
更に、端部口金は、第２のスカート部の端部に当接して径方向に延伸するフランジを備える請求項４に記載の気道取付部構造体。
【請求項６】
圧縮可能部材の第１の部分は、少なくとも１つの蛇腹状波形折曲部を備える請求項１に記載の気道取付部構造体。
【請求項７】
更に、第２の孔と第４の孔との間に流路を形成する第５の孔を有する採取部と、
第５の孔に開口しかつ気道取付部構造体の外側に延伸する採取口を含む検体支管構造体とを備える請求項１に記載の気道取付部構造体。
【請求項８】
更に、気道取付部に組立てられる管状取付部を備え、管状取付部は、第５の孔及び軸方向流路を内部に形成する本体部を有し、第５の孔は、第１の端部から延伸して本体部内の端壁で終端し、軸方向流路は、端壁の一部内に開口し、端壁は、圧縮可能部材を圧縮状態にして圧縮可能部材に当接して、管状取付部と気道取付部とを連結し、圧縮可能部材の端部と軸方向流路の外縁周囲の端壁との間に密封構造を形成する請求項１に記載の気道取付部構造体。
【請求項９】
第５の孔を包囲する管状取付部の本体部は、第１の端部からの距離が増加するように小径から大径となるテーパ状に形成される外面を有する外壁を備え、気道取付部の第１の部分は、第１の端部からの距離が増加するように大径から小径となるテーパ状に形成される内面を備え、管状取付部の外面と気道取付部の内面とが摩擦嵌合して、管状取付部を気道取付部に連結する請求項８に記載の気道取付部構造体。
【請求項１０】
(a)第１の端部、第２の端部並びに第１の端部及び第２の端部の内部に形成される第１の孔を有するほぼ管状の第１の部分と、
(b)管状の第１の部分に作動接続される第１の端部及び第１の端部に対向する第２の自由端部を有し、かつ第１の孔内に配置される長さ方向に圧縮可能な圧縮可能部材と、
(c)管状の第１の部分の第１の端部に連結されるほぼ管状の第２の部分とを備え、
圧縮可能部材は、第１の端部から第２の端部まで圧縮可能部材の内部に形成される第２の孔を備え、
第２の部分内に第３の孔を形成し、第２の孔及び第３の孔は、流体接続されて、気道取付部を通る気体流通路の少なくとも一部を形成することを特徴とする気道取付部構造体。
【請求項１１】
圧縮可能部材は、第１の端部に配置されるフランジを備え、管状の第１の部分の第１の端部に設けられる第１の孔及びフランジは、フランジが第１の孔の壁に摩擦嵌合するように形成され、圧縮可能部材を第１の孔内の適所に保持する請求項１０に記載の気道取付部構造体。
【請求項１２】
更に、圧縮可能部材の第１の端部と第１の孔の壁との間に配置され、圧縮可能部材を第１の孔内の適所に保持する摩擦嵌合部材を備える請求項１０に記載の気道取付部構造体。
【請求項１３】
圧縮可能部材は、第１の端部に形成される第１のスカート部を有する弾性スリーブを備える請求項１０に記載の気道取付部構造体。
【請求項１４】
第１の端部は、ほぼ涙状の部分を備える請求項１３に記載の気道取付部構造体。
【請求項１５】
更に、圧縮可能部材は、
第１のスカート部から長さ方向に涙状部分の反対側に配置される第２のスカート部と、
第２のスカート部内に収容される筒部を有する端部口金と、筒部内に形成されかつ第２の孔に流体接続される端部口金孔とを備える請求項１４に記載の気道取付部構造体。
【請求項１６】
更に、端部口金は、第２のスカート部の端部に当接して径方向に延伸するフランジを備える請求項１５に記載の気道取付部構造体。
【請求項１７】
圧縮可能部材の第１の部分は、少なくとも１つの蛇腹状波形折曲部を備える請求項１０に記載の気道取付部構造体。
【請求項１８】
更に、第２の孔と第３の孔との間に流路を形成する第４の孔を有する採取部と、
第４の孔に開口しかつ気道取付部構造体の外側に延伸する採取口を含む検体支管構造体とを備える請求項１０に記載の気道取付部構造体。
【請求項１９】
更に、気道取付部と共に組立てられる管状取付部を備え、管状取付部は、第４の孔及び軸方向流路を内部に形成する本体部を有し、第４の孔は、第１の端部から延伸して本体部内の端壁で終端し、軸方向流路は、端壁の一部内に開口し、端壁が圧縮可能部材に当接し圧縮可能部材を圧縮状態に移行して、管状取付部と気道取付部とを連結し、圧縮可能部材の端部と軸方向流路の外縁周囲の端壁との間に密封構造を形成する請求項１０に記載の気道取付部構造体。
【請求項２０】
第４の孔を包囲する管状取付部の本体部は、第１の端部からの距離が増加するとき、小径から大径となるテーパ状に形成される外面を有する外壁を備え、気道取付部の第１部分は、第１の端部からの距離が増加するとき、大径から小径となるテーパ状に形成される内面を備え、管状取付部の外面と気道取付部の内面とが摩擦嵌合して、管状取付部を気道取付部に連結する請求項１９に記載の気道取付部構造体。
【請求項２１】
(a)下記(1)及び(2)を備えるほぼ管状の第１の部分と、
(1)第１の端部、第２の端部並びに第１の端部及び第２の端部の内側に形成される第１の孔を有する壁、
(2)壁に作動接続されて第２の孔を内側に有しかつ第１の孔と軸方向に整合する突起、
(b)突起の端部を越えて延伸し第２の孔に連通して形成される第３の孔を内部に含む第１の部分を有しかつ突起に連結され、下記(1)〜(3)のいずれかを有する長さ方向に圧縮可能な圧縮可能部材と、
(1)突起上に配置され第１の部分に連結される第１のスカート部を有する弾性スリーブ、
(2)第１の部分内に配置される少なくとも１つの蛇腹状波形折曲部、又は
(3)(1)及び(2)の両方、
(c)管状の第１の部分の第１の端部に連結されるほぼ管状の第２の部分とを備えることを特徴とする気道取付部構造体。
【請求項２２】
(a)第１の端部、第２の端部並びに第１の端部及び第２の端部の内側に形成される第１の孔を有する壁を備えるほぼ管状の第１の部分と、
(b)管状の第１の部分に作動接続される第１の端部及び第１の端部に対向する第２の自由端部を有し、かつ第１の孔内に配置される長さ方向に圧縮可能な圧縮可能部材と、
(c)管状の第１の部分の第１の端部に連結されるほぼ管状の第２の部分とを備え、
圧縮可能部材は、第１の端部から第２の端部まで圧縮可能部材の内部に形成される第２の孔と、第１の端部に配置されるフランジとを含み、管状の第１の部分の第１の端部に設けられる第１の孔及びフランジは、フランジが第１の孔の壁に摩擦嵌合するように形成され、圧縮可能部材を第１の孔内の適所に保持することを特徴とする気道取付部構造体。
【請求項２３】
(a)第１の端部、第２の端部並びに第１の端部及び第２の端部の内側に形成される第１の孔を有する壁を備えるほぼ管状の第１の部分と、
(b)管状の第１の部分に作動接続される第１の端部及び第１の端部に対向する第２の自由端部を有し、かつ第１の孔内に配置される長さ方向に圧縮可能な圧縮可能部材と、
(c)管状の第１の部分の第１の端部に連結されるほぼ管状の第２の部分とを備え、
圧縮可能部材は、第１の端部から第２の端部まで圧縮可能部材の内部に形成される第２の孔と、第１の端部に形成される第１のスカート部を有する弾性スリーブとを含むことを特徴とする気道取付部構造体。